(57)【要約】【課題】従来と比較してイヤホンジャック等のジャックの機能を拡張することの可能な電気コネクタを提供する。【解決手段】ジャックカバー２はジャック本体１に被せられる。ジャックカバー２には複数の導電路２１が設けられる。導電路２１の接点部２１ａは、プラグ挿通穴２０を囲むようにジャックカバー２の前面に配列されて前方に臨む。連絡部２１ｂは、接点部２１ａからプラグ挿通穴２０の内面（内縁）を経由してジャックカバー２の内面に延び、ジャックカバー２に保持された端子３に接触する。【選択図】図１
2014127359.tif 000002
【特許請求の範囲】
【請求項１】
ジャック本体と、前記ジャック本体のプラグ差込穴を除く少なくとも一部を覆うジャックカバーとを備え、前記ジャックカバーに複数の導電路が設けられ、各々の導電路は、前記プラグ差込穴の周辺に設けられて前方に臨む接点部を有し、かつ基板側の導体部に対して電気的に接続可能である、電気コネクタ。
【請求項２】
基板搭載用の複数の端子を備え、各々の導電路は、前記端子と電気的に接続される端子接続部と、前記接点部から前記端子接続部に至る連絡部とを有する、請求項１に記載の電気コネクタ。
【請求項３】
前記端子接続部は前記ジャックカバーの内面に設けられ、前記連絡部は前記接点部から前記ジャックカバーの内面に延びる、請求項２に記載の電気コネクタ。
【請求項４】
前記ジャックカバーの内面に設けられた複数の凹部に前記複数の端子がそれぞれ保持され、前記端子接続部は前記凹部に設けられる、請求項２又は３に記載の電気コネクタ。
【請求項５】
前記複数の端子が前記ジャック本体に保持されている請求項２又は３に記載の電気コネクタ。
【請求項６】
前記複数の導電路の各々がメッキ膜である請求項１から５のいずれか一項に記載の電気コネクタ。
【請求項７】
前記ジャックカバーの外面にシールド用の導体が設けられている請求項１から６のいずれか一項に記載の電気コネクタ。
【発明の詳細な説明】
【技術分野】
【０００１】
本発明は、イヤホンプラグ等のプラグを差し込む電気コネクタに関する。
【背景技術】
【０００２】
スマートフォン等の携帯機器においては、多機能化が進んでおり、メモリカードの挿入穴やＵＳＢ接続口、イヤホンジャック等の様々な外部機器接続口が必要とされる。一方、携帯機器においては、多機能であることに加え、高いデザイン性も重要な要素となっている。
【先行技術文献】
【特許文献】
【０００３】
【特許文献１】特開２００１−２１７０５３号公報
【発明の概要】
【発明が解決しようとする課題】
【０００４】
携帯機器に多くの外部機器接続口を備えることは、多機能化には有利であっても、デザイン性を追及する上では妨げになるという問題があった。そこで、例えばイヤホンジャックの機能を拡張してデジタル信号の伝送も可能とすれば、外部機器接続口の数を減らすことができる。
【０００５】
本発明はこうした状況を認識してなされたものであり、その目的は、従来と比較してイヤホンジャック等のジャックの機能を拡張することの可能な電気コネクタを提供することにある。
【課題を解決するための手段】
【０００６】
本発明のある態様は、電気コネクタである。この電気コネクタは、ジャック本体と、前記ジャック本体のプラグ差込穴を除く少なくとも一部を覆うジャックカバーとを備え、前記ジャックカバーに複数の導電路が設けられ、各々の導電路は、前記プラグ差込穴の周辺に設けられて前方に臨む接点部を有し、かつ基板側の導体部に対して電気的に接続可能である。
【０００７】
基板搭載用の複数の端子を備え、各々の導電路は、前記端子と電気的に接続される端子接続部と、前記接点部から前記端子接続部に至る連絡部とを有してもよい。
【０００８】
前記端子接続部は前記ジャックカバーの内面に設けられ、前記連絡部は前記接点部から前記ジャックカバーの内面に延びてもよい。
【０００９】
前記ジャックカバーの内面に設けられた複数の凹部に前記複数の端子がそれぞれ保持され、前記端子接続部は前記凹部に設けられてもよい。
【００１０】
前記複数の端子が前記ジャック本体に保持されていてもよい。
【００１１】
前記複数の導電路の各々がメッキ膜であってもよい。
【００１２】
前記ジャックカバーの外面にシールド用の導体が設けられていてもよい。
【００１３】
なお、以上の構成要素の任意の組合せ、本発明の表現を方法やシステムなどの間で変換したものもまた、本発明の態様として有効である。
【発明の効果】
【００１４】
本発明によれば、従来と比較してイヤホンジャック等のジャックの機能を拡張することの可能な電気コネクタを提供できる。
【図面の簡単な説明】
【００１５】
【図１】本発明の実施の形態１に係る電気コネクタの分解斜視図。
【図２】前記電気コネクタの上方斜視図。
【図３】前記電気コネクタの下方斜視図。
【図４】前記電気コネクタのジャックカバー２の第１の斜視図。
【図５】ジャックカバー２の第２の斜視図。
【図６】前記電気コネクタの端子３の斜視図。
【図７】ジャックカバー２に端子３を取り付けた状態の斜視図。
【図８】前記電気コネクタに挿入可能な４極プラグ５の斜視図。
【図９】前記電気コネクタに挿入可能な多極プラグ６の斜視図。
【図１０】前記電気コネクタの、基板４への搭載説明図。
【図１１】本発明の実施の形態２に係る電気コネクタの分解上方斜視図。
【図１２】前記電気コネクタの分解下方斜視図。
【発明を実施するための形態】
【００１６】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１７】
実施の形態１
図１は、本発明の実施の形態１に係る電気コネクタの分解斜視図である。図２は、前記電気コネクタの上方斜視図である。図３は、同下方斜視図である。図４は、前記電気コネクタのジャックカバー２の第１の斜視図である。図５は、同第２の斜視図である。図６は、前記電気コネクタの端子３の斜視図である。図７は、ジャックカバー２に端子３を取り付けた状態の斜視図である。図８は、前記電気コネクタに挿入可能な４極プラグ５の斜視図である。図９は、前記電気コネクタに挿入可能な多極プラグ６の斜視図である。図１０は、前記電気コネクタの、基板４への搭載説明図である。
【００１８】
本実施の形態の電気コネクタは、ジャック本体１と、ジャックカバー２と、複数の端子３とを備える。端子３は図示の例では６本である。ジャック本体１は、既存の４極ジャック（例えばイヤホンジャック）と同等の構成である。ジャックカバー２は、底部が開口した例えば直方体の絶縁樹脂成形体であり、端子３を保持した状態でジャック本体１に被せられる。ジャック本体１とジャックカバー２との相互保持構造は、例えば圧入や嵌合であるが特に限定されない。なお、電気コネクタには、６本の端子３に加え、図３に示すように５本の端子９が設けられる。端子９はジャック本体１の端子である。ジャックカバー２の前面には、プラグ挿通穴２０が開口する。ジャック本体１のプラグ差込穴１０と、ジャックカバー２のプラグ挿通穴２０とが連通し、ジャック本体１にジャックカバー２を被せても図８に示す従来の４極プラグ５（例えばイヤホンプラグ）を差込可能である。
【００１９】
ジャックカバー２には、複数の導電路２１が設けられる。導電路２１の数は図示の例では６つである。各々の導電路２１は、接点部２１ａと、連絡部２１ｂと、端子接触部２１ｃ（端子接続部）とを有する。接点部２１ａは、プラグ挿通穴２０を囲むようにジャックカバー２の前面に配列されて前方に臨む。連絡部２１ｂは、図１、図４及び図５に示すように、接点部２１ａからプラグ挿通穴２０の内面（内縁）を経由してジャックカバー２の内面に延び、端子接触部２１ｃに至る。ジャックカバー２の左右内側面には端子３と同数の凹部２２が設けられ、端子接触部２１ｃは凹部２２に設けられる。
【００２０】
各々の導電路２１は、好ましくはメッキ膜であり、下地の銅メッキ上にニッケルメッキを形成してなる。具体的には、まずジャックカバー２の全面に無電解銅メッキを形成後、導電路として残す部分をレジスト（保護膜）にて被覆する。そして被覆した部分以外の銅メッキを除去し、残った銅メッキ上に無電解ニッケルメッキを形成する。なお、ジャックカバー２の外面にはシールド用の導体を設けることが好ましく、当該導体を導電路２１の形成と併せてメッキ膜として形成してもよい。
【００２１】
端子３は、金属板等の導体であり、図６に示すように、胴体部３０と、脚部３２とを有する。胴体部３０には凸部３１が設けられる。胴体部３０はジャックカバー２の図４及び図５に示す凹部２２に嵌入（圧入）され、これにより凸部３１が導電路２１の端子接触部２１ｃと当接し導通する。脚部３２は、胴体部３０の基端から折れ曲がり、ジャックカバー２の外側に延びる。脚部３２は、図１０に示すように基板４上の導体部８（電極部）との接続部であり、導体部８に半田付け等により電気的に接続される。図３に示す５本の端子９も同様に導体部８に半田付け等により電気的に接続される。これにより本実施の形態の電気コネクタは基板４の回路パターン（不図示）に電気的に接続される。
【００２２】
本実施の形態の電気コネクタは、図８に示す通常の４極プラグ５を差し込んだ場合は通常の４極ジャックとして機能し、図９に示すような多極プラグ６（１０極プラグ）を差し込んだ場合は多極ジャック（１０極ジャック）として機能する。多極プラグ６は、４極プラグ５と同様の差込部１１に加えて、差込部１１と同方向に突出する６本の端子ピン７を差込部１１の周囲に備える。本実施の形態の電気コネクタに多極プラグ６を差し込むと、端子ピン７の先端がジャックカバー２の接点部２１ａに当接する。端子ピン７は、不図示のスプリングにより軸方向に摺動可能で突出方向に付勢されている。多極ジャックとして用いる場合には、デジタル信号の高速伝送も可能となる。
【００２３】
本実施の形態によれば、既存の４極ジャックと同等構成のジャック本体１にジャックカバー２を被せることで、図９に示すような多極プラグ６を差し込んだ場合にデジタル信号の高速伝送が可能となる。なお、デジタル信号の高速伝送のためにはインピーダンスの整合が必要で、コネクタの伝送線路を構成する部分に一定の特性インピーダンス（例えば５０Ω）を持たせる必要がある。本実施の形態では、導電路２１をメッキ膜とすることで、例えば金属板が信号用の導電路を成す場合と比較して、導電路の幅と厚みを小さくすることができ、デジタル信号の高速伝送のために必要な特性インピーダンス（伝送線路としての特性インピーダンス）を確保しインピーダンスの整合をとることができる。このため、既存の４極プラグ５を差し込んだ場合のアナログ音声信号（ステレオ信号）の伝送に加えて、多極プラグ６を差し込むことによるデジタル信号の高速伝送も可能となり、スマートフォン等の携帯機器における外部接続端子の削減にも寄与できる。
【００２４】
実施の形態２
図１１は、本発明の実施の形態２に係る電気コネクタの分解上方斜視図である。図１２は、同分解下方斜視図である。本実施の形態の電気コネクタは、実施の形態１のものと異なり、導電路２１の連絡部２１ｂは、ジャックカバー２の前面の貫通穴２３の内面を通ってジャックカバー２の内面に延び、端子接触部２１ｃに至る。また、端子３はジャック本体１に圧入等により設けられている。この場合、ジャック本体１にジャックカバー２を被せることで端子３と端子接触部２１ｃとが当接する。また、ジャック本体１は左右に広がったベース部１２と、ベース部１２から立ち上がる一対の爪１３を有する。爪１３はジャックカバー２の凹部２４と係合してジャックカバー２を係止する。本実施の形態のその他の点は実施の形態１と同様である。本実施の形態も、実施の形態１と同様の効果を奏することができる。
【００２５】
以上、実施の形態を例に本発明を説明したが、実施の形態の各構成要素や各処理プロセスには請求項に記載の範囲で種々の変形が可能であることは当業者に理解されるところである。以下、変形例について触れる。
【００２６】
導電路２１の端子接触部２１ｃと基板４上の導体部８との電気的な接続に端子３を用いることに替えて、端子接触部２１ｃをジャックカバー２の下端部近傍まで延在させて端子接触部２１ｃを基板４上の導体部８に端子３を介さずに直接半田付け等により電気的に接続してもよい。
【符号の説明】
【００２７】
１  ジャック本体、２  ジャックカバー、３  端子、４  基板、５  ４極プラグ、６  多極プラグ、７  端子ピン、８  導体部、９  端子、１０  プラグ差込穴、１１  差込部、１２  ベース部、１３  爪、２０  プラグ挿通穴、２１  導電路、２１ａ  接点部、２１ｂ  連絡部、２１ｃ  端子接触部、２２  凹部、２３  貫通穴、２４  凹部、３０  胴体部、３１  凸部、３２  脚部
【図１】
2014127359.tif 000003
【図２】
2014127359.tif 000004
【図３】
2014127359.tif 000005
【図４】
2014127359.tif 000006
【図５】
2014127359.tif 000007
【図６】
2014127359.tif 000008
【図７】
2014127359.tif 000009
【図８】
2014127359.tif 000010
【図９】
2014127359.tif 000011
【図１０】
2014127359.tif 000012
【図１１】
2014127359.tif 000013
【図１２】
2014127359.tif 000014